(57)【特許請求の範囲】
【請求項１】
周壁に複数の一次空気孔及び二次空気孔を有したポットバーナと、該ポットバーナ底部に載置され予熱及び点火を行うポットヒータと、ポットバーナ温度を検知する温度センサとを備えたものに於いて、燃焼開始前ポットヒータに通電して予備加熱すると共に、燃焼ファンを最小回転数で駆動させ、この予備加熱でポットバーナが所定温度以上に達したことを温度センサが検知して、燃油量が少なく燃焼空気量過多の第１予備燃焼を行い、更に温度センサが前記所定温度より高い所定温度以上を検知するか、或いは第１予備燃焼が所定時間以上経過することで、通常空燃比の第２予備燃焼を所定時間行った後に本燃焼に移行する事を特徴とするポット式燃焼器。
【発明の詳細な説明】
【０００１】
【産業上の利用分野】
この発明はポットバーナ底部に予熱及び点火用のポットヒータを備えたポット式燃焼器に関するものである。
【０００２】
【従来の技術】
従来よりこの種のポットバーナでは、例えば実公平４−４９４５６号公報に開示されている如く、ポットバーナ底部に予熱及び点火用のポットヒータを備え、点火及び消火時間の短縮を計るものであった。
【０００３】
【発明が解決しようとする課題】
ところでこの従来のものでは、燃焼開始時ポットヒータによって着火までの間ポットバーナ底部を予熱するので、万一ポットバーナ底部に油溜まりが発生していた場には、予熱途中でこの溜まっていた油に火が付いて燃焼空気が供給されないままチョロ火で燃焼が始まり、ポットバーナ内には着火までの間に多量の未燃ガスが充満することとなり、これが着火時爆発燃焼や異常燃焼の原因となる危険を有するものであった。
【０００４】
【問題点を解決するための手段】
この発明はこの点に着目し上記欠点を解決する為、特にその構成を、周壁に複数の一次空気孔及び二次空気孔を有したポットバーナと、該ポットバーナ底部に載置され予熱及び点火を行うポットヒータと、ポットバーナ温度を検知する温度センサとを備えたものに於いて、燃焼開始前ポットヒータに通電して予備加熱すると共に、燃焼ファンを最小回転数で駆動させ、この予備加熱でポットバーナが所定温度以上に達したことを温度センサが検知して、燃油量が少なく燃焼空気量過多の第１予備燃焼を行い、更に温度センサが前記所定温度より高い所定温度以上を検知するか、或いは第１予備燃焼が所定時間以上経過することで、通常空燃比の第２予備燃焼を所定時間行った後に本燃焼に移行するようにしたものである。
【０００５】
【作用】
燃焼開始は運転スイッチ１９をＯＮすることでマイコン２０に信号が入力し、該マイコン２０からの出力でポットヒータ７が予熱開始されると共に、燃焼ファン１８も同時に駆動され、その駆動は燃焼ファン１８の最小回転数である１２８０ｒｐｍで微少の燃焼空気がポットバーナ１内に供給されるものであり、そしてこのポットヒータ７による予備加熱でポットバーナ１底部が所定温度以上に上昇すると、この温度を温度センサ１７が検知し、燃油の供給を開始させると共に燃焼ファン１８の回転数を上げ、ポットヒータ７によって着火させて燃焼が開始されるものである。
【０００６】
従って、ポットヒータ７への通電と同時に燃焼ファン１８も駆動してポットバーナ１に燃焼空気が供給されるので、前の燃焼でポットバーナ１内に油溜まりが出来ていて予熱時に着火したとしても、この火は燃焼空気の供給を受けて正常な燃焼となり、未燃ガスが充満することがなく、着火時に爆発燃焼や異常燃焼が発生する危険もないものであり、又油溜まりがない時でも、燃焼ファン１８は最小回転数であるから、送風によって予熱時間が長くなることを極力抑制することが出来るものである。
【０００７】
【実施例】
次にこの発明に係るポット式燃焼器を図面に示された実施例で説明する。
１は有底筒状のポットバーナで、周壁下部には一次空気孔２及び上部には二次空気孔３を有し、外周は空気室４を介して外筒５で覆われている。
【０００８】
６はポットバーナ１内中央部に載置された整炎筒で、気化ガスと燃焼空気との混合を促進する。
７はポットバーナ１底部に備えられた予熱及び点火用のポットヒータで、棒状のセラミックヒータで構成され、下部には気化用の気化アミ８が載置されている。
【０００９】
９は燃油を一定油面に貯留するオイルレベラで、上蓋１０に備えた電磁ポンプ１１で燃油を汲み上げ供給パイプ１２を介してポットバーナ１に供給するものである。
【００１０】
更に上記供給パイプ１２先端は、ポットバーナ１内に向かって下り傾斜した細径の噴射パイプ１３で構成し、外筒５に固定されポットバーナ１側壁を貫通した保護筒１４内に備えられ、先端部をポットバーナ１内に突出して、供給される燃油を気化アミ８一端に噴射するものである。
【００１１】
１５は電磁ポンプ１１と並設して上蓋１０に備えられた吸引ポンプで、電磁ポンプ１１より下流側の供給パイプ１２途中に連通し、消火時に供給パイプ１２内の燃油をオイルレベラ９に戻すものである。
【００１２】
１６はポットバーナ１内に垂下されたフレームロッドで、火炎中に挿入され着火及び失火及び異常燃焼等を検知するものである。
【００１３】
１７はポットバーナ１底部裏側に取り付けられたサーミスタから成る温度センサで、ポットバーナ１底部の温度を検知し着火動作を指示すると共に、ポットヒータ７のＯＮ／ＯＦＦ及び異常過熱検知等を行うものである。
【００１４】
１８は空気室４を介し一次、二次空気孔２、３より燃焼空気をポットバーナ１内に供給する燃焼ファンで、最小回転数の弱回転、中回転、強回転の火力に応じた３段階の回転数制御されるものであり、更に消火時は継続駆動してポットバーナ１を冷却するものである。
【００１５】
次に図２に示すこの実施例の要部の電気回路図を説明すれば、１９は運転スイッチ、２０はＣＰＵ、メモリ、入出力回路、タイマ等を備えたマイコン、２１はフレームロッド１６の検知するフレーム電圧ＦＶと基準電圧とを比較しマイコン２０に各指示信号を出力する炎検知回路である。
【００１６】
２２はマイコン２０の出力側に接続された表示部で、４個の７セグ表示で構成され、マイコン２０からの出力を受け時刻及び室温、設定温度を切り替え表示すると共に、各種のエラー表示を行うものである。
【００１７】
２３は駆動部品を制御する駆動部で、マイコン２０からの出力でポットヒータ７及び燃焼ファン１８の駆動制御するものである。
【００１８】
２４は投入された商用交流電源２５をＤＣ２４Ｖの直流に交換して出力する定電圧電源部で、電磁ポンプ１１及び吸引ポンプ１５が接続し励磁電流の供給を受けると共に、マイコン２０からの出力で導通及び非導通する第１、第２トランジスター２６，２７によって制御される。
【００１９】
又マイコン２０の入力側には温度センサ１７が接続され、ポットバーナ１底部の温度を検知しマイコン２０に入力するものである。
【００２０】
次にこの実施例の作動を図３に示すフローチャートに従って説明する。
今燃焼開始する為に運転スイッチ１９をＯＮすれば（ステップ２８）、ＹＥＳでステップ２９に進みマイコン２０の出力でポットヒータ７をＯＮしポットバーナ１底部の加熱を開始すると共に燃焼ファン１８が弱回転で運転を開始するものであり、そしてステップ３０でこのポットヒータ７のＯＮから２分経過したかをマイコン２０内で判断し、ＹＥＳでステップ３１に進み温度センサ１７が８０℃以上を検知したかをマイコン２０への入力で判断し、次のステップへ進むものであり、このステップ２９〜３１までをポットヒータ７によるポットバーナ１の予備加熱モードとする。
【００２１】
次にステップ３１でＹＥＳでステップ３２に進み、マイコン２０からの出力で燃焼ファン１８を強回転ここでは２５００ｒｐｍの回転を５秒間行い、ポットバーナ１底部の熱を該ポットバーナ１全体に広げるものであり、これをホットスタートモードとする。
【００２２】
そしてこのホットスタートモード終了後には、ステップ３３に進んで先ずマイコン２０は電磁ポンプ１１を駆動させ、小油量の燃油をポットバーナ１に供給すると共に、燃焼ファン１８を回転数２１２０ｒｐｍ以上で駆動させ且つポットヒータ７の高温加熱で着火し、ポットバーナ１底部で発生する小油量の気化ガスによる火炎を多量の燃焼空気でポットバーナ１底部に押さえ込み、ポットバーナ１底部を更に加熱して良好に温度上昇させるものであり、更にステップ３４でこのポットバーナ１温度が３００℃に達しているかどうかを温度センサ１７の入力によってマイコン２０が判断し、再燃焼以外はここまで温度上昇しないのでＮＯでステップ３５に進み、電磁ポンプ１１のＯＮからの時間が２分３０秒経過したかをマイコン２０が判断し、ＹＥＳで次のステップに進み、ＮＯではステップ３４に戻るものであり、このステップ３３〜３５をポットバーナ１底部を火炎で集中的に加熱する第１予備燃焼のモードとするものである。
【００２３】
次にステップ３５で電磁ポンプ１１のＯＮから２分３０秒が経過した時には、ＹＥＳでステップ３６に進みマイコン２０の出力で電磁ポンプ１１を小油量から中油量供給に切替えると共に、燃焼ファン１８の回転数を油量に見合った中回転の２１２０ｒｐｍに低下させ、通常空燃比の燃焼状態とするものであり、そしてステップ３７でこの電磁ポンプ１１による中油量供給から３０秒経過したかをマイコン２０で判断し、ＹＥＳでステップ３８に進んでポットヒータ７をＯＦＦし、電磁ポンプ１１を設定火力の油量とすると共に、燃焼ファン１８をこの火力に応じた回転数とする本燃焼へと移行させるものであり、ＮＯではステップ３６に戻るものである。
【００２４】
このステップ３６、３７が本燃焼に移行する前の第２予備燃焼のモードであり、本燃焼同様な通常空燃比の燃焼を該本燃焼に先だって数十秒行わせることで、火炎の立ち上がり時の安定性を計り、スムーズに本燃焼へ移行させることが出来るものである。
【００２５】
従って、ポットヒータ７による予備加熱中燃焼ファン１８が最小回転数で駆動するので、万一ポットバーナ１内に油溜まりが形成されているような場合には、予熱状態でこの油に火が付いて未燃ガスが充満しようとするが、この発明では微少の燃焼空気が予熱と同時に供給されており、油溜まりで火が付いても通常の燃焼が可能であり、未燃ガスが充満することがなく着火時に爆発燃焼や異常燃焼が発生する心配もなく、安心して使用出来るものである。
【００２６】
更に油溜まりがない時でも、燃焼ファン１８は最小回転数で駆動されているので、予熱を邪魔することがなく予熱時間が長くなる不具合も極力抑えることが出来るものである。
【００２７】
又予備加熱からポットバーナ１底部を集中的に加熱する第１予備燃焼及び、本燃焼切替え時の火炎の安定性を計る第２予備燃焼を設けることで、より短時間にポットバーナ１を本燃焼可能な温度まで加熱することが出来、予備燃焼時間を大幅に縮められ、使用勝手を良くすると共に、スムーズな本燃焼への移行が行われ最初から良好な燃焼が得られるものである。
【００２８】
又消火時短時間に再着火動作した時には、ステップ３４で温度センサ１７によるポットバーナ１の温度検知が３００℃に達するので、ＹＥＳでステップ３６に進み第２予備燃焼を行うものであり、即ちステップ３５の電磁ポンプ１１ＯＮからの２分３０秒の経過を待っことなく、第１予備燃焼を省略して本燃焼へ移行するもので、ポットバーナ１温度が高く長い予備燃焼が不用な時には、第１予備燃焼が自動的に省略され、更に本燃焼までの無駄時間がなく、極めて使用便利となるものである。
【００２９】
【発明の効果】
要するにこの発明は、周壁に複数の一次空気孔及び二次空気孔を有したポットバーナと、該ポットバーナ底部に載置され予熱及び点火を行うポットヒータと、ポットバーナ温度を検知する温度センサとを備えたものに於いて、燃焼開始前ポットヒータに通電して予備加熱すると共に、燃焼ファンを最小回転数で駆動させ、この予備加熱でポットバーナが所定温度以上に達したことを温度センサが検知して、燃油量が少なく燃焼空気量過多の第１予備燃焼を行い、更に温度センサが前記所定温度より高い所定温度以上を検知するか、或いは第１予備燃焼が所定時間以上経過することで、通常空燃比の第２予備燃焼を所定時間行った後に本燃焼に移行するようにしたものであるから、万一ポットバーナ内に油溜まりが形成されていても燃焼開始前に未燃ガスが充満する心配がなく、爆発燃焼や異常燃焼を未然に防止出来、常に安心して使用することが出来るものである。
しかも油溜まりがない場合でも、予熱時間に影響を与えることを極力抑えることが出来、極めて使用勝手が良いものである。
更にポットヒータによる予備加熱からポットバーナ底部を集中的に加熱する第１予備燃焼及び、本燃焼切替え時の火炎の安定性を計る第２予備燃焼を設けることで、より短時間にポットバーナを本燃焼可能な温度まで加熱することが出来、予備燃焼時間を大幅に縮められ、使用勝手を良くすると共に、スムーズな本燃焼への移行が行われ最初から良好な燃焼が得られるものである。
【図面の簡単な説明】
【図１】この発明の一実施例を付したポット式燃焼器を示す概略構成図。
【図２】同要部の電気回路図。
【図３】同要部フローチャート
【符号の説明】
１  ポットバーナ
２  一次空気孔
３  二次空気孔
７  ポットヒータ
１７  温度センサ
１８  燃焼ファン
２０  マイコン
【図１】
0003544278.tif 000002
【図２】
0003544278.tif 000003
【図３】
0003544278.tif 000004